(57)【要約】【課題】従来のカッティングマットでは、カッティングのとき、紙が厚い場合などに、力を入れ過ぎて、勢い余って、カッターがカッティングマットからはみ出してしまい、テーブル等を傷つけてしまうことがあった。本発明は、このようなカッターのオーバーランを防止することを可能とするカッティングマットを提供するものである。【解決手段】本発明は、被カッティング対象物を配置する四角形状の樹脂性マット部と、このマット部の周辺に設けられた溝部とを有することにより、カッターの移動がこの溝部で止まるようにして、上述のオーバーランを防止するものである。【選択図】    図１
2015020248.tif 000002
【特許請求の範囲】
【請求項１】
被カッティング対象物を配置する四角形状の樹脂性マット部と、このマット部の周辺に設けられた溝部とを有するカッティングマット。
【請求項２】
前記マット部を囲う４辺の端部付近に、前記溝部を有することを特徴とする請求項１項記載のカッティングマット。
【請求項３】
定規を斜めに配置してカッティングができるように、前記マット部に斜めの罫線が設けられていることを特徴とする請求項２項記載のカッティングマット。
【請求項４】
前記マット部の左右２辺の端部付近に、前記溝部を有することを特徴とする請求項１項記載のカッティングマット。
【発明の詳細な説明】
【技術分野】
【０００１】
本発明は、カッティングマットに関するものであり、特に、カッティング中に、カッターがカッティングマットからはみ出すことを防止可能なカッティングマットに関するものである。
【背景技術】
【０００２】
紙や樹脂フィルムなどをカッターでカッティングする際、机やテーブルの保護のためにカッティングマットが用いられている。
このカッティングマットは、カッターによるカッティングに対して、耐性を有する塩化ビニルやオレフィン系の樹脂からなるマット本体に縦、横の罫線が印刷形成されたものである。
【０００３】
このようなカッティングマットを用いて、紙等をカッティングする際、切断線に沿って定規を配置し、この定規にカッターの刃の側面を当てて、カッティングを行う。
このカッティングのとき、紙面が厚い場合など特に、力を入れ過ぎて、勢い余って、カッターがカッティングマットからはみ出してしまい、テーブルを傷つけてしまうことがあった。
以下このようなはみ出しをオーバーランと称する。
特許文献１には、本体側面の隣接する２辺にガード部が設けられたカッターマットが記載されている。
この特許文献１のカッターマットは、ガード部で紙を固定して、紙がずれるのを防止することによって、オーバーランを防止するものである。
【０００４】
【特許文献１】特開２００６−３４１３４５号
【発明の開示】
【発明が解決しようとする課題】
【０００５】
上述の特許文献１のカッティングマットは、紙のずれを防止するものであり、複雑な構造を取るため、コスト高となる。また、カッティングする位置は限定されてしまうという問題がある。
【課題を解決するための手段】
【０００６】
本発明は、請求項１に記載するように、カッティングマットにおいて、被カッティング対象物を配置する四角形状の樹脂性マット部と、このマット部の周辺に設けられた溝部とを有することを特徴とするものである。
また請求項２に記載するように、前記マット部を囲う４辺の端部付近に、前記溝部を有することを特徴とするものである。
また、請求項３に記載するように、定規を斜めに配置してカッティングができるように、前記マット部に斜めの罫線が設けられていることを特徴とするものである。
更に、請求項４に記載するように、前記マット部の左右２辺の端部付近に、前記溝部を有することを特徴とするものである。
【発明の効果】
【０００７】
本発明は、カッティングマットのマット部周辺に溝を設けることにより、カッティング時に、カッターの刃先をこの溝に落下させて、カッターのオーバーランを防止するものである。
【発明を実施するための最良の形態】
【０００８】
以下、本発明を実施するための最良の形態について、図面を参照して詳細に説明する。
【実施例】
【０００９】
以下、図に沿って本発明の一実施例を説明する。
図１は本発明の一実施例のカッティングマットの平面図である。
このカッティングマットは、カッターによるカッティングに対して、耐性を有するオレフィン系の樹脂からなる、縦４００ｍｍ、横５００ｍｍ、厚さ２ｍｍの四角形形状の板で構成されており、紙や樹脂性フィルムなどの被カッティング対象物を配置するマット部１、このマット部１の表面に印刷形成された罫線２、及びマット部１の四方の周辺部に設けられた溝部３とからなる。
【００１０】
尚、罫線２は、縦方向、及び横方向に複数設けられている。
また、溝部３は、マット部１の上下、及び左右の周辺部付近に、マット部１を囲うように設けられているが、その寸法は、幅２ｍｍ、深さ１ｍｍである。
【００１１】
図２にカッター５のオーバーランが防止された状態を示す。
被カッティング対象である紙４を切断した後、勢い余って、カッター５の移動を止められなかった場合でも、カッター５の刃先は、溝部３に落下する。するとこの溝部３の側壁がカッター５の刃の進行の障壁となり、カッター５が、カッターマットを越えてオーバーランするのが防止される。
【００１２】
第２の実施例のカッティングマットを図３に示す。
水平に置いたカッティングマットに対して、斜めに被カッティング対象物を配置して、斜めにカッティングする場合や、水平に置いたカッティングマットに対して、水平に被カッティング対象物を配置して、斜めにカッティングする場合のガイドラインとなる、斜め罫線７を設けている。
【００１３】
テーブルや椅子が大きくて余裕のある場合は、カッティングマットを斜めに配置して、水平にカッティングを行えば良いが、必ずしも、カッティングマットを斜めに配置できるとは限らない。このように、カッティングマットの置く場所、配置に制限がある場合でもカッティングがより容易に行えるように、斜め罫線７が設けられている。
この斜め罫線７は直交する２つの方向のものが複数設けられている。
斜め罫線７以外は図１乃至図２に示した第１の実施例と同様である。
【００１４】
この第２の実施例は、斜め方向にカッティングするものであるが、このような状態でのカッティングにおいては、カッターの操作がより困難となって、カッターのオーバーランが発生しやすくなる。
また、マット部１の上側、或いは下側でカッターのオーバーランが発生することとなる。
このため、マット部１の上下に設けられた溝部３が、カッターのオーバーランの防止に重要となる。
【００１５】
第３の実施例のカッティングマットを図４に示す。
この実施例では、溝部３は左右の端部に合計２つ設けられている。
被カッティング対象物を斜めにカッティングするような使用が行われない場合や、カッティングマットの置き場所、配置に制約がない状態での使用には、左右の溝部３だけで十分となる。そのような用途のため、本実施例のカッティングマットが利用される。
【００１６】
本発明は、上記実施例に限定されるものではなく、例えば、カッティングマット本体や溝部の寸法、形状は種々変更可能である。
例えば、溝部の幅を１ｍｍ、或いは３ｍｍとしてもよい。
また、溝部の深さを０．５ｍｍとしてもよい。
また、罫線の形状も、上記実施例に限定されるものではない。
【産業上の利用可能性】
【００１７】
本発明は、マット部の周辺に溝部を設けるという簡単な構成によって、カッティング動作のとき、カッターがオーバーランして、テーブル等を傷つけるといったことを防止できるものであり、確実かつ安全にカッティングを行うことを可能とするカッティングマットを提供するものである。
【図面の簡単な説明】
【００１８】
【図１】図１は、本発明の第１の実施例のカッティングマットを示す平面図である。
【図２】図２は、本発明によってカッターのオーバーランが防止されている状態を示す図である。
【図３】図３は、本発明の第２の実施例のカッティングマットを示す平面図である。
【図４】図４は、本発明の第３の実施例のカッティングマットを示す平面図である。
【符号の説明】
【００１９】
１：マット部
３：溝部
６：斜め罫線
【図１】
2015020248.tif 000003
【図２】
2015020248.tif 000004
【図３】
2015020248.tif 000005
【図４】
2015020248.tif 000006